(57)【要約】  一般に本発明は翻訳のためのフレーズを探し出して組み立てるための方法に関する。代表的な実施例においては、電子熟語集として機能する携帯型装置が本発明の上記の方法を実行する。この装置はユーザに対象語のメニューを提示し、ユーザが選択した対象語を受取る。本装置は文脈中に上記の対象語を含むフレーズのメニューを提示し、選択されたフレーズを受取る。本装置は更に、ユーザに上記のフレーズの意味を更に絞り込む修飾語句のメニューを提示し、選択された修飾語句を受取る。このように、ユーザは関心の対象のフレーズを素早く構成する。本装置はこのフレーズを翻訳し、その翻訳をユーザに提示する。
2007517278.tif 000002
【特許請求の範囲】
【請求項１】
第１の言語における対象語の第１のメニューを提示することと、
前記第１のメニューから特定の対象語を選択して受取ることと、
前記第１の言語におけるフレーズの第２のメニューを提示することであって、該第２のメニューにおける前記の各フレーズは前記特定の対象語を含む、第２のメニューを提示することと、
前記第２のメニューから前記特定の対象語を含む特定のフレーズを選択して受取ることと、
前記特定のフレーズを第２の言語に翻訳することと、
を含む方法。
【請求項２】
前記特定のフレーズと関連する修飾語句の第３のメニューを提示することと、
前記第３のメニューから特定の修飾語句を選択して受取ることと、
を更に含む請求項１に記載の方法。
【請求項３】
前記の翻訳をユーザに提示することを更に含む請求項１に記載の方法。
【請求項４】
前記翻訳を提示することは、テキスト翻訳を提示することあるいは音声翻訳を提示することの少なくとも１つを含む請求項３に記載の方法。
【請求項５】
前記翻訳を提示することは可聴翻訳を提示することを含む請求項３に記載の方法。
【請求項６】
前記翻訳は複数の単語を含み、前記可聴翻訳を提示することは、ある単語の録音バージョンがメモリに格納されているときには該単語の録音バージョンを提示することと、前記単語の録音バージョンがメモリに格納されていないときには前記単語の合成口頭バージョンを提示することと、を含む請求項５に記載の方法。
【請求項７】
前記第１の言語における単語あるいは事前組立てフレーズの少なくとも１つを含む第３のメニューを提示することと、
前記第３のメニューから１つを選択して受取ることと、
前記の第３のメニューから選択したものの前記第２の言語における翻訳を提示することと、
を更に含む請求項１に記載の方法。
【請求項８】
請求項１から７までに記載の方法の何れかをプログラマブルプロセッサに実施させる命令を含むコンピュータ可読媒体。
【請求項９】
請求項８に記載の媒体の命令を実行するように構成されたプログラマブルプロセッサを含む装置。
【請求項１０】
第１の言語における対象語の第１のメニューを提示し、
前記第１のメニューから特定の対象語を選択して受取り、
前記第１の言語におけるフレーズの第２のメニューであって、該第２のメニューにおける各フレーズは前記特定の対象語を含む、第２のメニューを提示し、かつ、
前記第２のメニューから前記特定の対象語を含む特定のフレーズを選択して受取るように構成されたフレーズコンストラクタと、
前記特定のフレーズを第２の言語に翻訳するように構成されたトランスレータと、
を含む、請求項１から７までのいずれか一項に記載の方法を実施するように構成された装置。
【請求項１１】
前記翻訳の可聴バージョンを生成するように構成された音声合成装置を更に含む請求項１０に記載の装置。
【請求項１２】
話された単語、話され綴られた単語あるいは発音記号で綴られた単語の少なくとも１つを認識するように構成された音声認識モジュールを更に含む請求項１０に記載の装置。
【請求項１３】
前記第２の言語における単語と該単語の関連する録音バージョンとを格納するように構成されたメモリを更に含む請求項１０に記載の装置。
【請求項１４】
１組の事前組み立てフレーズを格納するように構成されたメモリを更に含む請求項１０に記載の装置。
【発明の詳細な説明】
【技術分野】
【０００１】
本発明は電子データ管理に関し、より詳細には翻訳のために使用されるフレーズの電子データ管理に関する。
【背景技術】
【０００２】
言語翻訳ツールに対する必要性は益々重要になってきている。人が外国語のテキストに遭遇することが一層普通のことになってきている。外国の会社との貿易、外国での多国籍軍の活動における部隊の協力、移住および観光は、まさに人々が馴染みのない言語と接触するようにする状況の幾つかの例である。
【０００３】
言語の障壁を克服するための従来のアプローチの１つは、熟語集の使用である。通常の熟語集は、例えば「買い物」、「レストラン」、「医者で」というような一般的主題（general subject）に従ってフレーズ（phrase）を体系化しており、この一般的主題に関連する標準のフレーズのリストを含んでいる。数十のフレーズが存在することは珍しいことではなく、ユーザは幾つものフレーズに目を通して関心の対象のフレーズを見つけなければならない場合がある。
【発明の開示】
【発明が解決しようとする課題】
【０００４】
医学的な緊急事態のような幾つかの状況においては、関心の対象のフレーズを素早く見つけることは大変重要なことである。その他の状況においても関心の対象のフレーズを素早く見つけることは便利で望ましいことである。
【課題を解決するための手段】
【０００５】
一般に、本発明は翻訳のためのフレーズを見出して組み立てるための技術を対象にしている。代表的な実施例において、その技術は電子熟語集としての機能を果たす携帯型装置（hand-held device）によって実現される。
【０００６】
１実施例においては、本発明は、上記の装置がユーザに対象語（object word）のメニューを提示する方法を対象にしている。対象語とは関心の対象のフレーズにおける一般に最も重要である単語である。多くの場合、この対象語は「車」、「アスピリン」あるいは「電話」といった名詞である。上記の装置はユーザの選択した対象語を受取り、その対象語を文脈（context）内に含むフレーズのメニューを提示する。装置はユーザの選択したフレーズを受取る。幾つかのフレーズは関連する修飾語句（modifier）を含むことができ、この装置はユーザにそのフレーズの意味を絞り込む修飾語句のメニューを提示することができる。修飾語句はサイズ、形、量、方向、範囲などのような事柄に関連することができる。
【０００７】
対象語と、その対象語と修飾語句とを含むフレーズとの選択によって、ユーザは素早く上記の関心の対象のフレーズを組み立てることができる。上記の装置はその関心の対象のフレーズを取り込んでそのフレーズを翻訳し、ユーザにその翻訳を提示する。翻訳は、テキスト、音声発音（phonetic pronunciation）、あるいは可聴話し言葉（audible speech）として含む種々の方法で提示することができる。
【０００８】
１実施例において、本発明は、第１の言語での対象語の第１のメニューを提示することと、上記の第１のメニューから特定の対象語を選択して受取ることとを含む方法を対象とする。この方法はまた、上記の第１の言語でのフレーズの第２のメニューであって、上記の特定の対象語を含むこの第２のメニュー内の各フレーズを有する第２のメニューを提示すること、およびこの第２のメニューから上記の特定の対象語を含む特定のフレーズを選択して受取ることをも含む。この方法は、更に、上記の特定のフレーズを第２の言語に翻訳することを含む。上記の方法はまた、上記の特定のフレーズに関連する修飾語句の第３のメニューを提供することと、この第３のメニューから特定の修飾語句を選択して受取ることとをも含む。従って上記の翻訳されたフレーズは、選択された対象語と１つあるいはそれ以上の選択された修飾語句を有する選択されたフレーズを含むことができる。
【０００９】
別の実施例においては、本発明は、本発明の方法をプログラマブルプロセッサに実施させる命令を含むコンピュータ可読媒体（computer-readable media）を対象とする。
【００１０】
更に別の実施例においては、本発明はフレーズコンストラクタ（phrase constructor）とトランスレータ（translator）とを含む装置を提供する。このフレーズコンストラクタは第１の言語での対象語の第１のメニューを提示し、この第１のメニューから特定の対象語を選択して受取る。このフレーズコンストラクタはまた、上記の第１の言語でのフレーズの第２のメニューであって、この第２のメニュー内の各フレーズが上記の特定の対象語を含む第２のメニューを提示し、上記の第２のメニューから上記の特定の対象語を含む特定のフレーズを選択して受取る。上記のトランスレータは上記の特定のフレーズを第２の言語に翻訳する。
【発明の効果】
【００１１】
本発明は、１つ以上の利点を提供することができる。携帯型コンピュータ、携帯電話あるいはＰＤＡのような携帯装置において実施されると、本発明は多目的電子熟語集（versatile electronic phrase book）としての機能を果たす。本発明によるフレーズ組立て技術を適用することによって、ユーザは所望のフレーズを素早くしかも容易に組み立てることができる。この組立ては、ユーザがフォローするのが容易であり、また上記の装置は、フレーズの文脈中における選択された対象語と修飾語句とを与えることによって、組立てにおいてユーザを支援する。対象語、フレーズおよび修飾語句の選択によって、ユーザは、ユーザが伝えたいメッセージを伝える翻訳のためのフレーズを組み立てることができる。ユーザが組み立てることができるフレーズの数は事実上無制限である。
【００１２】
本発明の１つ以上の実施例の詳細を添付の図面および以下の記載に述べる。
【発明を実施するための最良の形態】
【００１３】
図１は、本発明の技術を実施するように構成された代表的な装置１０の機能ブロック図である。本発明は特定の装置に限定されないが、本発明は携帯型コンピュータ、携帯電話あるいは携帯情報端末（personal digital assistant: PDA）のコンテキスト内に記載されることになろう。この種の装置はポータブルであり、また任意の数の入出力装置を介してユーザと情報のやり取りを行うことができる。
【００１４】
図１において、ユーザは入出力インタフェース１２を通して装置１０と情報のやり取りを行う。入出力インタフェース１２は、画像あるいはテキストを表示するディスプレイ１４、選択をするためのスタイラス（stylus）１６、および可聴出力を発生するスピーカ１８のような任意の数の入出力装置をサポートすることができる。ある実施例では、装置１０は、ユーザから話し言葉（speech）を受取り、話し言葉の音声認識（speech recognition）をサポートすることを特徴とするマイクロホン２０を含む。例えば、装置１０は、話された単語（spoken word）、話され綴られた単語（spoken spelled word）、あるいは「Alpha, Bravo, Charlie, Delta」発音アルファベット（phonetic alphabet）のような発音記号を使用して綴られた単語、あるいはそれらのいずれかの組合せを認識するように構成された音声認識モジュール（voice recognition module）（図示なし）を含むことができる。同様に、装置１０の別の実施例は手書き認識（handwriting recognition）をサポートすることができる。装置１０の実施例はまた、タッチスクリーン、キーボード、マウス、十字キーなどのその他の入出力装置をもサポートすることができる。
【００１５】
ユーザが関心の対象のフレーズを翻訳したいとき、ユーザはフレーズコンストラクタ２２と情報を交換することによってその関心の対象のフレーズを組み立てる。フレーズコンストラクタ２２は、以下に詳細に述べるように、フレーズ選択プロセスを通してユーザを案内するように構成されるロジック要素である。フレーズコンストラクタ２２はハードウエア、ソフトウエア、あるいはハードウエアとソフトウエアの組合せとして具体化することができる。
【００１６】
ユーザがフレーズコンストラクタ２２を使用して翻訳のためのフレーズを選択した後、フレーズコンストラクタ２２はそのフレーズを、翻訳のためにトランスレータ２４に供給する。トランスレータ２４は、ハードウエア、ソフトウエア、あるいはハードウエアとソフトウエアの組合せとして具体化でき、上記の選択されたフレーズを所望の対象言語（target language）に翻訳するように構成される。トランスレータ２４は幾つかの市販のトランスレータモジュールのどれでもよい。
【００１７】
メモリ２６は、特に、語彙と文法（grammar）を格納してトランスレータ２４をサポートすることができる。メモリ２６はまた、フレーズコンストラクタ２２によって使用される一般的主題（general subject）、対象語、フレーズ、および修飾語句のメニューをも格納することができる。メモリ２６は、どのような形の揮発性あるいは不揮発性メモリとしてでも、あるいはそのどのような組合せとしてでも具体化できる。
【００１８】
フレーズコンストラクタ２２とトランスレータ２４は異なった要素として述べられているが、この描写は説明のためである。本発明の１実施例では、フレーズコンストラクタ２２およびトランスレータ２４は共通のプロセッサ上で動作する異なったソフトウエア命令よりなることができる。本発明はどのような特定のハードウエアあるいはソフトウエア構成にも限定されない。
【００１９】
トランスレータ２４は上記の翻訳を入出力インタフェース１２に供給し、これがユーザにその翻訳を提示する。本発明のある実施例では、上記の翻訳は、スピーカ１８を介して与えられる可聴口頭翻訳（audible spoken translation）の生成のために音声合成装置（speech synthesizer）２８に供給される。他の実施例では、テキスト翻訳（textual translation）、音声翻訳（phonetic translation）あるいはその両方がディスプレイ１４を介して視覚的に提示される。
【００２０】
図２は、ユーザが翻訳のためにフレーズを組み立てるときに見ることができる代表的なディスプレイ３０である。ユーザが赤いバラを購入したい場合を想定するとする。ユーザは一般的主題を一般的主題メニュー３２から選択する。図２において、一般的主題は「購入（Purchases）」で表示されている。ユーザは、「単語（Words)」と表示されたタブ（tab）３４によって表示されるような、対象語を提示するスクリーン上でフレーズの組み立て（phrase construction）を始める。
【００２１】
本装置は、ユーザに対象語のメニュー３６を提示する。ユーザは、例えばキーボード上で対象語の最初の若干の文字をタッチすること、あるいはスクロールバー３８を使用すること、あるいは十字キーをタッチすること、あるいは「ロメオ（Romeo）、オスカ（Oscar）、シエラ（Sierra）」といった発音記号からその文字を話すこと、あるいはスタイラス１６で文字を書くことなどによって、所望の対象語を見えるようにして、対象語のリストを素早く絞り込むことができる。関心の対象語４０の位置、この例では「バラ（Roses）」の位置で、ユーザは任意の選択方法によってその特定の対象語を選択する。
【００２２】
上記の対象語を選択したものを受取ると、本装置は図３の代表的なディスプレイ５０に示されているように、この対象語を含むフレーズのメニューをユーザに提示する。このフレーズメニューは「フレーズ（Phrases）」と表示されたタブ５２によって特定される。フレーズメニュー５４中のフレーズは上記の対象語を含む。代表的ディスプレイ５０では、この対象語「ROSES」は全て大文字で現れる。
【００２３】
このフレーズのメニュー内に上記の対象語を含めることは、多くの点でユーザが所望のフレーズを生成するのを支援する。この含まれた対象語により、そのフレーズはユーザが理解するのが容易になり、ユーザは間違ったかどうかを素早く判断することができる。フレーズのメニューを見て、各フレーズが例えば単語「Rope」を含む場合は、ユーザは「単語（Words）」タブ３４を選択して、所望の対象語「Roses」を選択することができる。なお、上記のフレーズのメニューに対象語を含めることは、ユーザが、どのフレーズがより妥当であるか、あるいはどのフレーズがより正確にユーザが伝えようとしている意味を伝えるかを識別するのを助ける。
【００２４】
上記のフレーズのあるものは、そのフレームに関連する、例えば「<color>」、「<quantity>」および「<size>」のようなラベル（label）を付けた包括修飾語句（generic modifier）５６を含む。このラベル自体は修飾語句ではなく、ユーザが組み立てる上記の特定のフレーズの一部分となるものではない。このラベルはむしろ、ユーザの所望のフレーズを絞り込んで意図したメッセージをより正確に伝えるようにそのフレーズを修飾することができる単語のプルダウンメニュー（pull-down menu）を表すものである。修飾語句は、ユーザが伝えることを意図する意味を絞り込むどのような単語であってもよく、また、サイズ、形、量、方向、範囲などの事柄に関連してもよい。
【００２５】
上記のフレーズのあるものは１つ以上の修飾語句５６を含むことができる。フレーズ５８は、例えば「<quantity>」の修飾語句および「<color>」の修飾語句を含む。もし、例えば「I want to buy twelve red roses,（私は１２本の赤いバラを買いたい、）」というように、単一の文内において特定の量（quantity）および特定の色（color）を指定することがユーザの希望であったとすると、ユーザはその両方の修飾語句を含むフレーズを選択することができる。
【００２６】
図４は、修飾語句の選択を描写する代表的なディスプレイ６０である。ユーザは、赤いバラを買うことを望む場合、上記の「<color>」の修飾語句６２を含むメニューから特定のフレーズを選択している。この「<color>」の修飾語句６２の選択は、ドロップダウンメニュー（drop-down menu）６４が現れて修飾語句の選択、特に色の選択をリストアップするようにする。ユーザは特定の関心の対象の修飾語句６６、「Red」を選択する。
【００２７】
ユーザは組み立てられたフレーズ６８、「I want to buy red roses,（私は赤いバラを買いたい）」とそのフレーズの翻訳７０とを提示される。図４に示されている例においては、翻訳７０はスペイン語の「Quiero comprar rosas rojas.」である。翻訳７０は単語の翻訳を含むのみならず、適切な文法をも含む。図４で説明するように、上記の組み立てられたフレーズは、英語で正しくなるように対象語の前に修飾語句を示すが、翻訳されたフレーズ７０は、スペイン語で正しくなるように対象語の後に修飾語句を示す。
【００２８】
本発明の幾つかの実施例では、ユーザは可聴オプション（audible option）７２を選択することができ、これにより翻訳されたフレーズが話されるようになる。音声合成装置２８は可聴口頭翻訳の生成のための数多くの技術のどれでも採用することができる。本発明の１実施例では、メモリ２６に格納されたある単語は、その単語の録音バージョン（recorded spoken version）を含む、.wavファイル（.wav file）のような関連するオーディオファイル（audio file）を含む。単語が関連する録音バージョンを含む場合は、音声合成装置２８はその録音（recording）を使用する。その単語の録音バージョンがメモリ２６に格納されていない場合は、音声合成装置２８は、文字／音声マッピング（letter-to-sound mapping）の適用のような通常の音声合成技術（voice synthesis technique）を用いて単語の合成口頭バージョン（synthesized spoken version）を生成する。
【００２９】
このように、対象語と、その対象語を含むフレーズと修飾語句の選択によって、ユーザは翻訳のためのフレーズを素早く選択することができる。なお、これらの技術はユーザが何百万もの異なったフレーズを生成することができるようにする。換言すれば、本発明の技術を採用する装置は、通常の熟語集より用途が広く、ユーザが所望のメッセージを的確に伝えることができるようにする。
【００３０】
図５に代表的なディスプレイ８０で示すように、本装置はまた従来の電子熟語集および単語検索辞書としても動作することができる。ユーザは、ある単語あるいはフレーズが何度も繰り返されることを見出し、「お気に入り（Favorites）」と記されたタブ８２によって識別される、１つ以上の繰り返しフレーズのリストを組み立てることができる。ユーザは一般的主題８４を選択することができる。代表的なディスプレイ８０においては、この一般的主題は「チェックポイント活動（Check point operations）」であり、これは国境での取締機関職員にとって興味深い一般的主題であろう。
【００３１】
一般的主題の選択時に、ユーザは事前組み立てフレーズあるいは単語８６のメニューを提示される。この際、「事前組み立て（pre-constructed）」は単語あるいはフレーズがフレーズコンストラクタ２２で組み立てられる必要がないことを意味する。関心の対象の単語あるいはフレーズ８８を選択して、本装置はユーザに翻訳を提示する。本発明の１実施例では、「お気に入り（Favorites）」メニュー中の各事前組み立てフレーズあるいは単語に対する翻訳がメモリ２６に格納されており、この翻訳をメモリ２６から呼び戻すことができる。換言すれば、翻訳はトランスレータ２４で新たに生成される必要はない。
【００３２】
「お気に入り（Favorites）」メニューの使用は、ある状況においては、フレーズコンストラクタ２２でフレーズを組み立てるより素早い。また、「お気に入り（Favorites）」のリストに格納されたフレーズは、上記の選択されたフレーズの録音バージョンを含むオーディオファイルを有するメモリ２６に格納することができる。ある言語に対しては、上記のフレーズの録音バージョンは、音声合成装置２８で生成された口頭バージョンより、より信頼性があり、より理解可能であるか、あるいはより望ましい場合がある。
【００３３】
図６は本発明の技術を説明するフロー図である。携帯型コンピュータのような装置がユーザに対象語のメニューを提示する（１００）。ユーザはこのリストから対象語を選択し、本装置はその選択されたものを受取る（１０２）。この装置はユーザにこの対象語を含むフレーズのメニューを提示する（１０４）。ユーザは１つのフレーズを選択し、本装置はその選択されたものを受取る（１０６）。この装置は更にユーザに１つ以上の修飾語句のメニューを提示する（１０８）。ユーザは１つの修飾語句を選択し、本装置はその選択されたものを受取る（１１０）。
【００３４】
このように、本装置はユーザが翻訳のためにフレーズを組み立てることを支援している。本装置は組み立てられたフレーズを翻訳し（１１２）、ユーザにその翻訳を提示する（１１４）。この提示は音声あるいは視覚あるいはそれらの組合せとすることができる。
【００３５】
本発明は１つ以上の利点をもたらす。本発明は携帯型コンピュータ、携帯電話、あるいはＰＤＡのような携帯装置上での適用に限定されないが、本発明は携帯装置上で実施することができ、また電子熟語集として機能することができる。ここに記載されたフレーズ組み立て技術は、ユーザが所望のフレーズを直感的に素早くかつ容易に組み立てるのを支援する。この組み立てはフォローが容易であり、また本装置はフレーズの文脈中における選択された対象語と修飾語句を提示することによって、組み立てに際してユーザを支援する。対象語、フレーズおよび修飾語句の選択によって、ユーザはユーザが伝えたいメッセージを伝える翻訳のためのフレーズを組み立てることができる。ユーザが組み立てることができるフレーズの数は実際上無制限である。
【００３６】
本発明の種々の実施例を述べた。記載した実施例に対して各種変形を行うことができる。例えば、本発明は、ユーザによって、例えば対象語、フレーズ、あるいは修飾語句を追加することによってカスタマイズすることができる装置を含む。本発明はまた、多言語トランスレータを含み、複数のソースおよび対象言語からのユーザの選択をサポートする実施形態をも含む。本発明はまた、法律、医学、あるいは技術的専門分野のような特定の分野を対象とする対象語やフレーズでの実施形態を含むことができる。
【００３７】
本発明はここに記載された特定の実施形態に限定されない。本発明は、例えば、本発明の技術をプログラマブルプロセッサに実行させるための命令を含むコンピュータ可読媒体として実施することができる。このようなコンピュータ可読媒体は、磁気および光学記憶媒体、および消去可能なプログラマブルリードオンリメモリあるいはフラッシュメモリのようなリードオンリメモリを含むがそれに限定はされない。
【００３８】
なお、本発明は、図１に図示されている要素が単一の装置において実施される実施形態に限定されない。例えば、本発明は、本発明の技術を実施するように２つの装置が協働する実施形態を含む。ユーザは、例えば入出力装置として働く携帯電話と情報のやり取りをすることができるが、フレーズの組み立てと翻訳の動作はこの携帯電話と通信する携帯コンピュータによって実施することができる。この携帯電話とコンピュータは物理的な通信リンクかあるいは無線でリンクすることができる。本発明は更に、例えばユーザの携帯電話が携帯電話ネットワークを介して遠隔のコンピュータと通信する実施形態のように、協働装置が、互に遠隔にある実施形態を含む。
【図面の簡単な説明】
【００３９】
【図１】本発明の技術を実施するように構成された装置の機能ブロック図である。
【図２】フレーズの組み立てと選択を説明する代表的な画面の場面（その１）を示す図である。
【図３】フレーズの組み立てと選択を説明する代表的な画面の場面（その２）を示す図である。
【図４】フレーズの組み立てと選択を説明する代表的な画面の場面（その３）を示す図である。
【図５】フレーズの組み立てと選択を説明する代表的な画面の場面（その４）を示す図である。
【図６】フレーズの組み立てとその組み立てられたフレーズの翻訳を説明するフロー図である。
【図１】
2007517278.tif 000003
【図２】
2007517278.tif 000004
【図３】
2007517278.tif 000005
【図４】
2007517278.tif 000006
【図５】
2007517278.tif 000007
【図６】
2007517278.tif 000008
【手続補正書】
【提出日】平成18年7月13日(2006.7.13)
【手続補正１】
【補正対象書類名】特許請求の範囲
【補正対象項目名】全文
【補正方法】変更
【補正の内容】
【特許請求の範囲】
【請求項１】
第１の言語における対象語の第１のメニューを提示することと、
前記第１のメニューから特定の対象語を選択して受取ることと、
前記第１の言語におけるフレーズの第２のメニューであって、該第２のメニューにおける各フレーズは前記特定の対象語を含む、第２のメニューを提示することと、
前記第２のメニューから前記特定の対象語を含む特定のフレーズを選択して受取ることと、
前記特定のフレーズを第２の言語に翻訳することと、
を含む方法。
【請求項２】
前記特定のフレーズと関連する修飾語句の第３のメニューを提示することと、
前記第３のメニューから特定の修飾語句を選択して受取ることと、
を更に含む請求項１に記載の方法。
【請求項３】
前記の翻訳をユーザに提示することであって、該翻訳を提示することは、
テキスト翻訳を提示すること、
音声翻訳を提示すること、あるいは
可聴翻訳を提示すること、
の１つを含む、翻訳をユーザに提示することを更に含む請求項１に記載の方法。
【請求項４】
前記第１の言語における単語あるいは事前組み立てフレーズの少なくとも１つを含む第３のメニューを提示することと、
前記第３のメニューから１つを選択して受取ることと、
前記第３のメニューからの前記の選択されたものの前記第２の言語における翻訳を提示することと、
を更に含む請求項１に記載の方法。
【請求項５】
請求項１から４に記載の方法を何れかをプログラマブルプロセッサに実施させる命令を含むコンピュータ可読媒体。
【請求項６】
第１の言語における対象語の第１のメニューを提示し、
前記第１のメニューから特定の対象語を選択して受取り、
前記第１の言語におけるフレーズの第２のメニューであって、該第２のメニューにおける各フレーズは前記特定の対象語を含む、第２のメニューを提示し、かつ、
前記第２のメニューから前記特定の対象語を含む特定のフレーズを選択して受取るように構成されたフレーズコンストラクタと、
前記特定のフレーズを第２の言語に翻訳するように構成されたトランスレータと、
を含む請求項１から４までのいずれか一項に記載の方法を実施するように構成された装置。